(57)【要約】      （修正有）【課題】免震ビル間の隙間を小さく設置することができ、敷地を効率よく利用することができる天井用目地カバー装置を提供する。【解決手段】天井目地部８を介して建てられた一方の建物１２の天井部分の躯体に後端部が固定され、先端部が他方４の建物方向へ突出する固定目地カバー１０と、他方の建物４の天井部分の躯体に上方へ移動可能で、かつ固定目地カバー１０の先端部との間の目地部６を覆うように取付けられた可動目地カバー１２と、固定目地カバー１０の上部位置の一方の建物２の天井部分の躯体に傾斜配置されたせり上げ片１４と、可動目地カバー１２の先端部側の上面および中央部の上面に、せり上げ片１４で可動目地カバー１２を上方へ移動させる逆Ｌ字状あるいはコ字状の先端部の支持バー１５および中央部の支持バー１６とで天井用目地カバー装置１を構成している。【選択図】図２
2013087506.tif 000002
【特許請求の範囲】
【請求項１】
天井目地部を介して建てられた左右の建物の、一方の建物の天井部分の躯体に後端部が固定され、先端部が他方の建物方向へ突出する、該天井目地部の幅寸法の半分の幅寸法の固定目地カバーと、この固定目地カバーと対応する部位の前記他方の建物の天井部分の躯体に上方へ移動可能で、かつ前記固定目地カバーの先端部との間の目地部を覆うように取付けられた可動目地カバーと、前記固定目地カバーの上部位置の一方の建物の天井部分の躯体に後端部が取付けられた先端部が、該固定目地カバーの先端部に近接するように位置する傾斜配置された少なくとも２個以上のせり上げ片と、前記可動目地カバーの先端部側の上面および中央部の上面に少なくとも２個以上設置された、地震で目地部が狭くなると該可動目地カバーの先端部が前記固定目地カバーの先端部に当接するのを防止できるように、前記少なくとも２個以上のせり上げ片で可動目地カバーを上方へ移動させる逆Ｌ字状あるいはコ字状の先端部の支持バーおよび中央部の支持バーとからなることを特徴とする天井用目地カバー装置。
【請求項２】
固定目地カバーの先端部は下部が突出する傾斜面に形成され、可動目地カバーの先端部は上部が突出する傾斜面に形成されたものが使用されるとともに、可動目地カバーの先端部寄りの部位には、該可動目地カバーの先端部が下方へ移動するのを阻止する吊りワイヤーで上方へ移動可能に吊り下げられていることを特徴とする請求項１記載の天井用目地カバー装置。
【請求項３】
少なくとも２個以上のせり上げ片は一方の建物の天井部分に前後方向にスライド移動可能に取付けられるか、固定状態で取付けられ、少なくとも２個以上の先端部の支持バーおよび中央部の支持バーは前記せり上げ片の先端部が入り込む幅寸法が、せり上げ片が前後方向に移動しても先端部が入り込んだ状態となる幅寸法に形成されていることを特徴とする請求項１記載の天井用目地カバー装置。
【発明の詳細な説明】
【技術分野】
【０００１】
本発明は免震ビル間等の天井目地部を覆う天井用目地カバー装置に関する。
【背景技術】
【０００２】
従来、この種の天井用目地カバー装置は地震時の揺れ予想で、その設置幅は必要移動寸法の３．３倍以上で設置している。
このため、免震ビル間の隙間が大きく、敷地を効率よく使用できないという欠点があるとともに、天井用目地カバー装置が大きくなり、コスト高にという欠点があった。
【先行技術文献】
【特許文献】
【０００３】
【特許文献１】特許第４７６４８０６号公報
【発明の概要】
【発明が解決しようとする課題】
【０００４】
本発明は以上のような従来の欠点に鑑み、免震ビル間の隙間を小さく設置することができ、敷地を効率よく利用することができるとともに、小さな幅寸法の固定目地カバーや可動目地カバーを使用できるようにして、コストの低減や設置作業を楽に行なうことができる天井用目地カバー装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は天井目地部を介して建てられた左右の建物の、一方の建物の天井部分の躯体に後端部が固定され、先端部が他方の建物方向へ突出する、該天井目地部の幅寸法の半分の幅寸法の固定目地カバーと、この固定目地カバーと対応する部位の前記他方の建物の天井部分の躯体に上方へ移動可能で、かつ前記固定目地カバーの先端部との間の目地部を覆うように取付けられた可動目地カバーと、前記固定目地カバーの上部位置の一方の建物の天井部分の躯体に後端部が取付けられた先端部が、該固定目地カバーの先端部に近接するように位置する傾斜配置された少なくとも２個以上のせり上げ片と、前記可動目地カバーの先端部側の上面および中央部の上面に少なくとも２個以上設置された、地震で目地部が狭くなると該可動目地カバーの先端部が前記固定目地カバーの先端部に当接するのを防止できるように、前記少なくとも２個以上のせり上げ片で可動目地カバーを上方へ移動させる逆Ｌ字状あるいはコ字状の先端部の支持バーおよび中央部の支持バーとで天井用目地カバー装置を構成している。
【発明の効果】
【０００７】
以上の説明から明らかなように、本発明にあっては次に列挙する効果が得られる。
（１）請求項１により、地震で目地部が狭くなると、可動目地カバーは少なくとも２個以上のせり上げ片によって先端部の支持バーおよび中央部の支持バーを介して、可動目地カバーが固定目地カバーに接触することなく、該固定目地カバーの上に位置して、その揺れ動きを吸収することができる。
したがって、可動目地カバーと固定目地カバーが接触しないので、キズや損傷するのを効率よく防止することができる。
（２）前記（１）により、地震時の揺れ予想で、左右の免震建物の設置幅は必要移動寸法の２倍プラスｘ寸法でよいので、左右の免震建物をいままでより小さな隙間で設置することができ、敷地を効率よく使用することができる。
（３）前記（１）によって、少なくとも２個以上の傾斜配置されたせり上げ片と、先端部の支持バーおよび中央部の支持バーによって、可動目地カバーを固定目地カバーに衝突させることなく、先端部を上方へ回動させた後、上方へ移動させることができる。
したがって、構造が簡単で、故障しずらく、長期間使用することができる。
（４）請求項２も前記（１）〜（３）と同様な効果が得られるとともに、可動目地カバーの先端部が自重によって下方へ回動するのを効率よく阻止して、地震時に確実に作動させることができる。
（５）請求項３も前記（１）〜（３）と同様な効果が得られるとともに、建物が異なる前後方向に揺れ動いても、損傷することなく、確実に可動目地カバーを作動させることができる。
【図面の簡単な説明】
【０００８】
【図１】本発明を実施するための床用目地プレートのない第１の形態の平面図。
【図２】図１の２−２線に沿う断面図。
【図３】図２の３−３線に沿う断面図。
【図４】図２の４−４線に沿う断面図。
【図５】本発明を実施するための第１の形態の固定目地カバーの説明図。
【図６】本発明を実施するための第１の形態の可動目地カバーの説明図。
【図７】本発明を実施するための第１の形態の目地部が広くなった動作状態の断面図。
【図８】本発明を実施するための第１の形態の目地部が狭くなった動作状態の断面図。
【図９】本発明を実施するための第１の形態の目地部がさらに狭くなった動作状態の断面図。
【図１０】本発明を実施するための第１の形態の異なる前後方向に揺れ動いた動作説明図。
【図１１】本発明を実施するための床用目地プレートのない第２の形態の平面図。
【図１２】図１１の１２−１２線に沿う断面図。
【図１３】図１２の１３−１３線に沿う断面図。
【図１４】本発明を実施するための床用目地プレートのない第３の形態の平面図。
【図１５】図１４の１５−１５線に沿う断面図。
【図１６】図１５の１６−１６線に沿う断面図。
【発明を実施するための形態】
【０００９】
以下、図面に示す本発明を実施するための形態により、本発明を詳細に説明する。
【００１０】
図１ないし図１０に示す本発明を実施するための第１の形態において、１は一方の建物２の外壁躯体３と他方の建物４のスラブ５の端部５ａとの間の目地部６が、地震時の揺れの必要移動寸法となるように設定し、かつ前記スラブ５下の前記一方の建物２の外壁躯体３と前記他方の建物４の外壁躯体７との間に、前記目地部６の約２倍の天井目地部８が形成された部位を覆う本発明の天井用目地カバー装置で、この天井用目地カバー装置１は前記一方の建物２の天井部分となる外壁躯体３に後端部が固定され、先端部が前記他方の建物４方向へ突出する前記目地部６の幅寸法と同じ幅寸法で、先端部の下部が外方へ突出する傾斜面９に形成された固定目地カバー１０と、この固定目地カバー１０と対応する部位の前記他方の建物４の外壁躯体７に上方へ移動可能で、かつ前記固定目地カバー１０の先端部との間の目地部を覆うように取付けられ、先端部の上部が外方へ突出する傾斜面１１に形成された可動目地カバー１２と、前記固定目地カバー１０の上部位置の前記一方の建物２の天井部分の外壁躯体３に後端部が固定状態で取付けられた先端部が、該固定目地カバー１０の先端部に近接するように位置する傾斜配置され、かつ先端部に下部が外方へ突出する傾斜面１３に形成された少なくとも２個以上のせり上げ片１４、１４と、前記可動目地カバー１２の先端部側の上面および中央部の上面に少なくとも２個以上設置された、地震で天井目地部８が狭くなると前記固定目地カバー１０の先端部に当接するのを防止できるように、前記少なくとも２個以上のせり上げ片１４、１４で可動目地カバー１２を上方へ移動させる、該せり上げ片１４、１４の幅寸法よりも大きな幅寸法のコ字状の先端部の支持バー１５、１５および、該先端部の支持バー１５、１５よりも低い中央部の支持バー１６、１６と、前記可動目地カバー１２の先端部を支持して、該可動目地カバー１２を水平位置に保持する前記スラブ５の先端部より吊り下げられた少なくとも２個以上の吊り下げワイヤー１７、１７とで構成されている。
【００１１】
１８は前記他方の建物４のスラブ５の上部を先端部がスライド移動する後端部が前記一方の建物２の床躯体２ａの端部に取付けられた床用目地プレートで、この床用目地プレート１８の先端部は、前記他方の建物４のスラブ５に取付けられたカバープレート１９で覆われている。
【００１２】
前記固定目地カバー１０は図５に示すように、アルミ材等で形成された枠状の固定目地カバーフレーム２０と、この固定目地カバーフレーム２０の後端部に所定間隔で固定された、前記一方の建物２の外壁躯体３にタッピングビス２１で固定する複数個の固定金具２２と、前記固定目地カバーフレーム２０の底面に、該底面を覆うように固定されたボード２３と、このボード２３の先端部より前記可動目地カバー１２の先端部を覆って、該可動目地カバー１２の先端部と前記固定目地カバー１０の先端部の隙間を覆う、必要に応じて設置されるカバー２４とで構成されている。
【００１３】
前記可動目地カバー１２は図６に示すように、アルミ材等で形成された枠状の可動目地カバーフレーム２５と、この可動目地カバーフレーム２５の後端部に所定間隔で上方へ突出するように固定され、かつ上端部にストッパー片２６がそれぞれ設けられたボルト等の支持アーム２７、２７と、この支持アーム２７、２７を上方へスライド移動でき、かつ前記可動目地カバーフレーム２５の先端部がわずかに上方へ回動できるように、前記他方の建物４の外壁躯体７に複数本のタッピングビス２８で固定される筒状の支持金具２９、２９と、前記可動目地カバーフレーム２５の底面に、該底面を覆うように固定されたボード３０と、前記少なくとも２個以上のせり上げ片１４、１４は先端部が傾斜面１３に形成された角材状のせり上げ片本体３１、３１と、このせり上げ片本体３１、３１の後端部に前記一方の建物２の外壁躯体３に複数本のタッピングビス３２で、該せり上げ片本体３１、３１を傾斜配置できるように固定する取付金具３３とで構成されている。
【００１４】
前記先端部の支持バー１５、１５は前記せり上げ片１４、１４の先端部がパイプ材で形成された上部片１５ａ、１５ａの下面と接触した状態で配置されている。
【００１５】
前記中央部の支持バー１６、１６は天井目地部８が狭くなって、先端部の支持バー１５、１５がせり上げ片１４、１４上をスライド移動して傾斜状態になった可動目地カバー１２の後端部を上方へ移動させて水平状態となるように、該せり上げ片１４、１４と当接するような高さ位置となるように上部片１６ａ、１６ａが設定されている。
【００１６】
上記構成の天井用目地カバー装置１は、通常時には固定目地カバー１０、可動目地カバー１２およびカバー２４で天井目地部８が覆われた状態となっている。
【００１７】
地震で天井目地部８が広くなるように揺れ動くと、図７に示すように固定目地カバー１０と可動目地カバー１２とが離れるように移動して、その揺れ動きを吸収する。
【００１８】
この時、可動目地カバー１２は吊り下げワイヤー１７、１７によって、先端部が支持されているため、水平状態あるいは可動目地カバー１２の先端部が水平状態より、下方へ下がることが確実に防止される。
【００１９】
地震で天井目地部８が狭くなるように揺れ動くと、図８に示すように傾斜配置されたせり上げ片１４、１４に先端部の支持バー１５、１５がせり上がるとともに、可動目地カバー１２の先端部が固定目地カバー１０の先端部に当接しないように上方へ回動し、さらに天井目地部８が狭くなると、図９に示すようにせり上げ片１４、１４の先端部が中央部の支持バー１６、１６の上部片１６ａ、１６ａの下部に侵入して、該中央部の支持バー１６、１６を持ち上げる状態になるため、可動目地カバー１２の後端部支持アーム２７、２７は上方へ移動し、可動目地カバー１２がほぼ水平状態となる。
【００２０】
揺れ動きが停止し、元の状態に戻ると、可動目地カバー１２は他方の建物４の移動で中央部の支持バー１６、１６および先端部の支持バー１５、１５よりせり上げ片１４、１４が抜き取られるように移動し、可動目地カバー１２の自重で、元の位置へ自動的に戻る。
【００２１】
[発明を実施するための異なる形態]
次に、図１１ないし図１６に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２２】
図１１ないし図１３に示す本発明を実施するための第２の形態において、前記本発明を実施するための第１の形態と主に異なる点は、アングル状の支持アーム挿入孔３４を有する支持金具２９Ａ、２９Ａを用いるとともに、回転可能な上部片１５ｂ、１５ｂを有する先端部の支持バー１５Ａと中央部の支持バー１６Ａを用いた点で、このような支持金具２９Ａ、２９Ａ、先端部の支持バー１５Ａ、１５Ａおよび中央部の支持バー１６Ａ、１６Ａを用いて構成した天井用目地カバー装置１Ａにしても、前記本発明を実施するための第１の形態と同様な作用効果が得られる。
【００２３】
図１４ないし図１６に示す本発明を実施するための第３の形態において、前記本発明を実施するための第１の形態と主に異なる点は、せり上げ片１４、１４の幅寸法よりもわずかに広幅の先端部の支持バー１５Ｂ、１５Ｂと、中央部の支持バー１６Ｂ、１６Ｂを用いるとともに、せり上げ片１４、１４を一方の建物２の外壁躯体３に前後方向にスライド移動できるようにスライド移動金具３５、３５で取付けた点で、このように構成した天井用目地カバー装置１Ｂにしても、前記本発明を実施するための第１の形態と同様な作用効果が得られる。
【００２４】
なお、スライド移動金具３５、３５はせり上げ片１４、１４の後端部に固定されたハット形鋼形状の支持金具３６と、この支持金具３６の上・下方向に突出する突片３６ａ、３６ｂをスベリ材３７、３７を介して支持する外壁躯体３に複数本のタッピングビス３８で固定される固定金具３９、３９と、前記支持金具３６の上下面を、ローラ４０、４０を介して支持する外壁躯体３にタッピングビス３８で固定されるガイド部材４１とで構成されている。
【００２５】
なお、スライド移動金具３５、３５はこの構造に限らず、地震時の異なる前後方向の揺れ動き時にせり上げ片１４、１４が前後方向に移動できる構造のものであれば、どんな構造であってもよい。
【産業上の利用可能性】
【００２６】
本発明は目地部を介して設けられた一方の建物と他方の建物の天井部分の目地部を覆う天井用目地カバー装置を製造する産業で利用される。
【符号の説明】
【００２７】
１、１Ａ、１Ｂ：天井用目地カバー装置、
２：一方の建物、      ３：外壁躯体、
４：他方の建物、        ５：スラブ、  
６：目地部、        ７：外壁躯体、
８：天井目地部、      ９：傾斜面、
１０：固定目地カバー、    １１：傾斜面、
１２：可動目地カバー、    １３：傾斜面、
１４：せり上げ片、      
１５、１５Ａ、１５Ｂ：先端部の支持バー、
１６、１６Ａ、１６Ｂ：中央部の支持バー、
１７：吊り下げワイヤー、    １８：床用目地プレート、
１９：カバープレート、    ２０：固定目地カバーフレーム、
２１：タッピングビス、    ２２：固定金具、
２３：ボード、      ２４：カバー、
２５：可動目地カバーフレーム、２６：ストッパー片、
２７：支持アーム、      ２８：タッピングビス、
２９、２９Ａ：支持金具、    ３０：ボード、
３１：せり上げ片本体、    ３２：タッピングビス、
３３：取付金具、      ３４：支持アーム挿入孔、
３５：スライド移動金具、    ３６：支持金具、
３７：スベリ材、      ３８：タッピングビス、
３９：固定金具、      ４０：ローラ、
４１：ガイド部材。
【図１】
2013087506.tif 000003
【図２】
2013087506.tif 000004
【図３】
2013087506.tif 000005
【図４】
2013087506.tif 000006
【図５】
2013087506.tif 000007
【図６】
2013087506.tif 000008
【図７】
2013087506.tif 000009
【図８】
2013087506.tif 000010
【図９】
2013087506.tif 000011
【図１０】
2013087506.tif 000012
【図１１】
2013087506.tif 000013
【図１２】
2013087506.tif 000014
【図１３】
2013087506.tif 000015
【図１４】
2013087506.tif 000016
【図１５】
2013087506.tif 000017
【図１６】
2013087506.tif 000018